(57)【特許請求の範囲】
【請求項１】
加入者系処理装置と基地局と通信衛星とを含む衛星パケット通信システムにおいて、
前記加入者系処理装置は、
前記基地局に対して、サントランジットの対象となる第１通信衛星に在圏している移動機にサントランジット情報を送信するように指示するサントランジット情報送信指示手段と、
網側から前記移動機へパケットが送信される場合に、前記基地局に対して、パケットの送信先の移動機を前記第１通信衛星からサントランジットの対象とならない第２通信衛星へ移行させる命令を該移動機に送信するように指示する移行命令送信指示手段と
を備えたことを特徴とする衛星パケット通信システム。
【請求項２】
請求項１に記載の衛星パケット通信システムにおいて、
前記サントランジット情報は、
前記第１通信衛星がサントランジットの対象であることを示す情報および前記移動機が移行する前記第２通信衛星のチャネルの情報を含むことを特徴とする衛星パケット通信システム。
【請求項３】
請求項１に記載の衛星パケット通信システムにおいて、
前記加入者系処理装置は、
前記第１通信衛星のサントランジットが終了した際に、前記基地局に対して前記サントランジット情報の送信を終了するように指示するサントランジット終了指示手段をさらに備えたことを特徴とする衛星パケット通信システム。
【請求項４】
請求項１に記載の衛星パケット通信システムにおいて、
前記加入者系処理装置は、
前記第２通信衛星の配下の前記基地局に対して、移行を行う前記移動機のチャネル同期の確立を早めるための受入れ指令を送信する受入れ指令送信手段をさらに備えたことを特徴とする衛星パケット通信システム。
【請求項５】
加入者系処理装置と基地局と通信衛星とを含む衛星パケット通信システムの加入者系処理装置において、
前記基地局に対して、サントランジットの対象となる第１通信衛星に在圏している移動機にサントランジット情報を送信するように指示するサントランジット情報送信指示手段と、
網側から前記移動機へパケットが送信される場合に、前記基地局に対して、パケットの送信先の移動機を前記第１通信衛星からサントランジットの対象とならない第２通信衛星へ移行させる命令を該移動機に送信するように指示する移行命令送信指示手段と
を備えたことを特徴とする加入者系処理装置。
【請求項６】
請求項５に記載の加入者系処理装置において、
前記サントランジット情報は、
前記第１通信衛星がサントランジットの対象であることを示す情報および前記移動機が移行する前記第２通信衛星のチャネルの情報を含むことを特徴とする加入者系処理装置。
【請求項７】
請求項５に記載の加入者系処理装置において、
前記第１通信衛星のサントランジットが終了した際に、前記基地局に対して前記サントランジット情報の送信を終了するように指示するサントランジット終了指示手段をさらに備えたことを特徴とする加入者系処理装置。
【請求項８】
請求項５に記載の加入者系処理装置において、
前記第２通信衛星の配下の前記基地局に対して、移行を行う前記移動機のチャネル同期の確立を早めるための受入れ指令を送信する受入れ指令送信手段をさらに備えたことを特徴とする加入者系処理装置。
【請求項９】
加入者系処理装置と基地局と通信衛星とを含む衛星パケット通信システムのサントランジット制御方法において、
サントランジットの開始前に、サントランジットの対象となる第１通信衛星に在圏している移動機に対して、前記基地局からサントランジット情報を送信するサントランジット情報送信ステップと、
前記第１通信衛星がサントランジットである間に、網側から前記移動機へパケットが送信される場合に、前記基地局に対して、パケットの送信先の移動機を前記第１通信衛星からサントランジットの対象とならない第２通信衛星へ移行させる命令を該移動機に送信するように指示する移行命令送信指示ステップと
を備えることを特徴とする衛星パケット通信システムのサントランジット制御方法。
【請求項１０】
請求項９に記載の衛星パケット通信システムのサントランジット制御方法において、
前記サントランジット情報は、
前記第１通信衛星がサントランジットの対象であることを示す情報および前記移動機が移行する前記第２通信衛星のチャネルの情報を含むことを特徴とする衛星パケット通信システムのサントランジット制御方法。
【請求項１１】
請求項９に記載の衛星パケット通信システムのサントランジット制御方法において、
前記第１通信衛星のサントランジットが終了した際に、前記基地局から前記サントランジット情報の送信することを終了するサントランジット終了ステップをさらに備えることを特徴とする衛星パケット通信システムのサントランジット制御方法。
【請求項１２】
請求項９に記載の衛星パケット通信システムのサントランジット制御方法において、
前記第１通信衛星がサントランジットになる前に、前記第２通信衛星の配下の前記基地局に対して、移行を行う前記移動機のチャネル同期の確立を早めるための受入れ指令を送信する受入れ指令送信ステップをさらに備えることを特徴とする衛星パケット通信システムのサントランジット制御方法。
【発明の詳細な説明】
【０００１】
【発明の属する技術分野】
本発明は、衛星パケット通信システムおよびそのサントランジット制御方法に関する。
【０００２】
【従来の技術】
衛星通信において、春分や秋分の前後に、基地局、衛星および太陽が一直線に並び、その際に太陽雑音も上り信号と一緒に基地局で受取ることから、下り信号受信は可能であるが上り信号送信が困難になることを「サントランジット」と呼ぶ。サントランジットによる通信への影響を避けるため、衛星システムにおいては「サントランジット制御」を行い、サントランジットとなる衛星に在圏し、通話や信号の送受信を行う移動機を非サントランジット衛星に移行することによって、通信の中断を避けるようにしている。
【０００３】
以下に、図１および図２を参照して、従来技術によるサントランジット制御の概念を説明する。
【０００４】
図１は、従来技術によるサントランジット制御において、通信衛星ｂ号機に対するサントランジット準備処理の一例を概念的に示す図である。
【０００５】
衛星通信システムは、少なくとも通信衛星ａ号機１０２、通信衛星ｂ号機１０４、基地局２０２、２０４、移動機３０２、３０４および３０６から構成される。
【０００６】
無線系オペレーションＭＯＳ（Ｍｏｂｉｌｅ  ｃｏｍｍｕｎｉｃａｔｉｏｎ  Ｏｐｅｒａｔｉｏｎ  Ｓｙｓｔｅｍ）（ここでは図示せず）は、通信衛星ｂ号機１０４がサントランジットになる場合には、通信衛星ｂ号機１０４配下の基地局２０４に「追出し準備指令」を、通信衛星ａ号機１０２配下の基地局２０２に「受入れ準備指令」を送信する。これにより、通信衛星ｂ号機１０４で待ち受けている移動機３０４は通信衛星ａ号機１０２で待ち受ける。この時、通信衛星ｂ号機１０４で通話中の移動機３０６は、通信衛星ｂ号機１０４で通話を継続する。
【０００７】
図２は、従来技術によるサントランジット制御において、通信衛星ｂ号機１０４に対するサントランジット開始処理の一例を概念的に示す図である。
【０００８】
通信衛星ｂ号機１０４のサントランジットが開始すると、無線系オペレーションＭＯＳは、通信衛星ｂ号機１０４配下の基地局２０４に「追出し開始指令」を、通信衛星ａ号機１０２配下の基地局２０２に「受入れ開始指令」を送信する。これにより、通信衛星ｂ号機１０４で通話中の移動機３０６は通信衛星ａ号機１０２に強制チャネル切替を行い、通信衛星ａ号機１０２との間で通話が継続される。
【０００９】
つぎに、通信衛星ｂ号機１０４のサントランジットが終了すると、無線系オペレーションＭＯＳは、全基地局に「終了指令」を送信し、追出し制御を解除する。これにより、通信衛星ｂ号機１０４のサントランジット制御が終了し、通信衛星ｂ号機１０４での待ち受けが可能となる。
【００１０】
つぎに、通信衛星ｂ号機１０４のサントランジットが終了し、通信衛星ａ号機１０２のサントランジットが開始するまでは、両衛星ともに非サントランジットであるため、基地局に対する制御を解除する。
【００１１】
つぎに、通信衛星ａ号機１０２のサントランジットの開始時間が近づくと、引き続き発生する通信衛星ａ号機１０２のサントランジットに関しても、図１において説明したサントランジット制御の準備処理を同様に実施し、さらに通信衛星ａ号機１０２のサントランジットが開始すると、図２において説明したサントランジット開始処理を同様に実行する。
【００１２】
【発明が解決しようとする課題】
ここで、このような衛星通信のサントランジット制御を、パケット通信用の衛星パケットシステムに適用する場合に以下の問題点がある。
【００１３】
すなわち、従来のサントランジット制御においては基本的に全ての移動機は非サントランジット衛星に移行するが、衛星パケット方式においてはパケット通信中であっても、信号の送受信を行っていない移動機についてはサントランジットの影響を受けないため、信号の送受信が実際にあった場合のみ非サントランジット衛星に移行させるだけでよい。
【００１４】
また、全ての移動機を非サントランジット衛星に移行させると、無駄な制御信号が衛星パケットシステム中で送受信されることになり、システムが輻輳する原因となってしまう。
【００１５】
本発明の目的は、上記問題点に鑑み、全ての移動機を移行することなく効率的にサントランジット制御を実行できる衛星パケット通信システムおよびそのサントランジット制御方法を提供することにある。
【００１６】
【課題を解決するための手段】
請求項１に記載の発明は、加入者系処理装置と基地局と通信衛星とを含む衛星パケット通信システムにおいて、前記加入者系処理装置は、前記基地局に対して、サントランジットの対象となる第１通信衛星に在圏している移動機にサントランジット情報を送信するように指示するサントランジット情報送信指示手段と、網側から該移動機へパケットが送信される場合に、前記基地局に対して、パケットの送信先の移動機を前記第１通信衛星からサントランジットの対象とならない第２通信衛星へ移行させる命令を該移動機に送信するように指示する移行命令送信指示手段とを備えたことを特徴とする。
【００１７】
請求項２に記載の発明は、請求項１に記載の衛星パケット通信システムにおいて、前記サントランジット情報は、前記第１通信衛星がサントランジットの対象であることを示す情報および前記移動機が移行する前記第２通信衛星のチャネルの情報を含むことを特徴とする。
【００１８】
請求項３に記載の発明は、請求項１に記載の衛星パケット通信システムにおいて、前記加入者系処理装置は、前記第１通信衛星のサントランジットが終了した際に、前記基地局に対して前記サントランジット情報の送信を終了するように指示するサントランジット終了指示手段をさらに備えたことを特徴とする。
【００１９】
請求項４に記載の発明は、請求項１に記載の衛星パケット通信システムにおいて、前記加入者系処理装置は、前記第２通信衛星の配下の前記基地局に対して、移行を行う前記移動機のチャネル同期の確立を早めるための受入れ指令を前記移動機に送信するように指示する受入れ指令送信指示手段をさらに備えたことを特徴とする。
【００２０】
請求項５に記載の発明は、加入者系処理装置と基地局と通信衛星とを含む衛星パケット通信システムの加入者系処理装置において、前記基地局に対して、サントランジットの対象となる第１通信衛星に在圏している移動機にサントランジット情報を送信するように指示するサントランジット情報送信指示手段と、網側から該移動機へパケットが送信される場合に、前記基地局に対して、パケットの送信先の移動機を前記第１通信衛星からサントランジットの対象とならない第２通信衛星へ移行させる命令を該移動機に送信するように指示する移行命令送信指示手段とを備えたことを特徴とする。
【００２１】
請求項６に記載の発明は、請求項５に記載の加入者系処理装置において、前記サントランジット情報は、前記第１通信衛星がサントランジットの対象であることを示す情報および前記移動機が移行する前記第２通信衛星のチャネルの情報を含むことを特徴とする。
【００２２】
請求項７に記載の発明は、請求項５に記載の加入者系処理装置において、前記第１通信衛星のサントランジットが終了した際に、前記基地局に対して前記サントランジット情報の送信を終了するように指示するサントランジット終了指示手段をさらに備えたことを特徴とする。
【００２３】
請求項８に記載の発明は、請求項５に記載の加入者系処理装置において、前記第２通信衛星の配下の前記基地局に対して、移行を行う前記移動機のチャネル同期の確立を早めるための受入れ指令を前記移動機に送信するように指示する受入れ指令送信指示手段をさらに備えたことを特徴とする。
【００２４】
請求項９に記載の発明は、加入者系処理装置と基地局と通信衛星とを含む衛星パケット通信システムのサントランジット制御方法において、サントランジットの開始前に、サントランジットの対象となる第１通信衛星に在圏している移動機に対して、前記基地局からサントランジット情報を送信するサントランジット情報送信ステップと、前記第１通信衛星がサントランジットである間に、網側から前記移動機へパケットが送信される場合に、前記基地局に対して、パケットの送信先の移動機を前記第１通信衛星からサントランジットの対象とならない第２通信衛星へ移行させる命令を該移動機に送信するように指示する移行命令送信指示ステップとを備えることを特徴とする。
【００２５】
請求項１０に記載の発明は、請求項９に記載の衛星パケット通信システムのサントランジット制御方法において、前記サントランジット情報は、前記第１通信衛星がサントランジットの対象であることを示す情報および前記移動機が移行する前記第２通信衛星のチャネルの情報を含むことを特徴とする。
【００２６】
請求項１１に記載の発明は、請求項９に記載の衛星パケット通信システムのサントランジット制御方法において、前記第１通信衛星のサントランジットが終了した際に、前記基地局から前記サントランジット情報の送信することを終了するサントランジット終了ステップをさらに備えることを特徴とする。
【００２７】
請求項１２に記載の発明は、請求項９に記載の衛星パケット通信システムのサントランジット制御方法において、前記第１通信衛星がサントランジットになる前に、前記第２通信衛星の配下の前記基地局に対して、移行を行う前記移動機のチャネル同期の確立を早めるための受入れ指令を前記移動機に送信する受入れ指令送信ステップをさらに備えることを特徴とする。
【００２８】
【発明の実施の形態】
以下、図面を参照しながら、本発明の実施形態について詳細に説明する。
【００２９】
図３は、本発明が適用される衛星パケットシステムのサントランジット制御方法の概念を示す図である。
【００３０】
本システムは、少なくとも通信衛星ａ号機１０２、通信衛星ｂ号機１０４、移動機３００および３０１から構成される。
【００３１】
ここで、通信衛星ａ号機１０２および通信衛星ｂ号機１０４は、例えばＮＳＴＡＲ等の通信衛星である。
【００３２】
衛星パケット方式において、サントランジット衛星である通信衛星ｂ号機１０４の配下で、かつパケット通信中の移動機であっても、実際に現在信号の送受信を行っていない移動機３０１についてはサントランジットの影響を受けないため非サントランジット衛星である通信衛星ａ号機１０２に移行させない。一方、信号の送受信のある移動機３００については、非サントランジット衛星に移行させる。
【００３３】
従って、待受中及び音声通信中とは異なり、通信衛星ｂ号機１０４に在圏し、信号送受信を行っていない移動機はサントランジット側衛星である通信衛星ｂ号機１０４にとどまることになる。
【００３４】
つぎに、本発明による衛星パケットシステムのサントランジット制御方法を図４乃至図６を参照して詳細に説明する。
【００３５】
図４は、本発明よる衛星パケットシステムのサントランジット制御方法におけるサントランジット開始処理の概念を説明する図である。
【００３６】
本システムは、少なくとも通信衛星ａ号機１０２、通信衛星ｂ号機１０４、基地局２０２、基地局２０４、衛星用パケット加入者系処理装置（ａ）Ｓ−ＰＰＭ（ａ）４２、衛星用パケット加入者系処理装置（ｂ）Ｓ−ＰＰＭ（ｂ）４４および移動機３０８から構成される。基地局２０２、２０４は、在圏する移動機との間で無線パケットを送受信する機能を有する。衛星用パケット加入者系処理装置（ａ）Ｓ−ＰＰＭ（ａ）４２および衛星用パケット加入者系処理装置（ｂ）Ｓ−ＰＰＭ（ｂ）４４は、例えばパケット関門中継処理装置ＰＧＷ等のコアネットワークの交換機（ここでは図示せず）と基地局２０２、２０４との間に位置し、基地局の制御やパケット交換等を行う機能を有する。
【００３７】
通信衛星ｂ号機１０４に対応する衛星用パケット加入者系処理装置（ｂ）Ｓ−ＰＰＭ（ｂ）４４は、基地局２０４に対して「サントランジット情報」として、サントランジットであることおよび移行する他号機のチャネルの情報（例えば通信衛星ａ号機１０２の情報）を連続的に送信するよう指示を行うことにより、移動機３０８に対してサントランジットを知らせる。
【００３８】
また、通信衛星ａ号機１０２（非サントランジット）に対応する衛星用パケット加入者系処理装置（ａ）Ｓ−ＰＰＭ（ａ）４２は、基地局２０２に対して受入れ指令の指示を行うことにより、移動機３０８に対して移行を行う移動機３０８のチャネル同期の確立を早める。
【００３９】
図５は、本発明よる衛星パケットシステムのサントランジット制御方法における移動機から信号を送信する際のサントランジット中処理の概念を説明する図である。
【００４０】
移動機３０８は上り信号を通信衛星ｂ号機１０４に送信しようとした際に、通信衛星ｂ号機１０４がサントランジット中であった場合には、基地局２０４から連続的に送信された「サントランジット情報」を通信衛星ｂ号機１０４を介して受信する。そして、移動機３０８は、受信した「サントランジット情報」により、通信衛星ｂ号機１０４がサントランジットであること、および移行する他号機のチャネルの情報（通信衛星ａ号機１０２の情報）を知り、送信チャネルを他号機（通信衛星ａ号機１０２）に切り替えることにより、自律的に通信衛星ａ号機１０２へ移行する。
【００４１】
図６は、本発明よる衛星パケットシステムのサントランジット制御方法における網側から移動機へ信号を送信する際のサントランジット中処理の概念を説明する図である。
【００４２】
サントランジット側衛星通信衛星ｂ号機１０４に在圏する移動機に対する下り信号が発生した場合、まず衛星用パケット加入者系処理装置（ｂ）Ｓ−ＰＰＭ（ｂ）４４はその移動機３０８に対して追出し処理を行う。すなわち、衛星用パケット加入者系処理装置（ｂ）Ｓ−ＰＰＭ（ｂ）４４は基地局２０４に、移動機３０８に対して追出し指令（すなわち、下り信号の送信先の移動機をサントランジットの対象となる通信衛星からサントランジットの対象とならない通信衛星へ移行させる命令）を送信するように要求する。追出し指令を受信した移動機３０８は、信号の送受信を行う衛星を通信衛星ａ号機１０２に切り替え、他衛星を使って下り信号を送信する（ここで、前述したように基地局２０４から「サントランジット情報」は常に連続送信されている）。
【００４３】
通信衛星ｂ号機１０４のサントランジットが終了すると、通信衛星ａ号機１０２のサントランジットが開始するまでは、両衛星共に非サントランジットであるため、基地局に対する制御を解除し、上り通信、下り通信共に通常のパケット通信処理を行う。
【００４４】
ついで、通信衛星ａ号機１０２のサントランジットが開始された場合は、引き続き発生する通信衛星ａ号機１０２のサントランジットに関しても、図４乃至図６において上述したのと同様の処理を実行する。
【００４５】
また、ここで基地局２０２および基地局２０４と衛星用パケット加入者系処理装置（ａ）Ｓ−ＰＰＭ（ａ）４２および衛星用パケット加入者系処理装置（ｂ）Ｓ−ＰＰＭ（ｂ）４４との間の状態が不一致になった場合には、基地局からの状態変化報告および、状態報告において、連続送信状態／受入れ状態を参照し、衛星用パケット加入者系処理装置（ａ）Ｓ−ＰＰＭ（ａ）４２、衛星用パケット加入者系処理装置（ｂ）Ｓ−ＰＰＭ（ｂ）４４で保持している状態と照合を行い、衛星用パケット加入者系処理装置（ａ）Ｓ−ＰＰＭ（ａ）４２、衛星用パケット加入者系処理装置（ｂ）Ｓ−ＰＰＭ（ｂ）４４が保持している状態に基地局２０２、基地局２０４を合わせるように制御する。なお、サントランジット情報の連続送信を行う状態と他号機の受入れ状態については衛星保守端末の基地局監視画面で確認できる。
【００４６】
図７は、本発明が適用される衛星用パケット加入者系処理装置Ｓ−ＰＰＭのハードウェア構成の一例を示す図であり、衛星用パケット加入者系処理装置Ｓ−ＰＰＭの構成のうち本発明に関係する部分のみを概念的に示している。
【００４７】
衛星用パケット加入者系処理装置Ｓ−ＰＰＭ４００は、少なくとも基地局等への各回線に対応する回線対応部４０１、スイッチングハブの機能を有する接続部４０２、および全体の制御を司る制御部４０３から構成される。
【００４８】
回線対応部４０１は、パケットハイウェイ切替装置ＨＷＳＷ４０４、パケット回線処理装置ＰＬＵ４０６およびＭＬＳ接続インタフェース回路ＭＬＥＩＦ４０８を含んでなる。パケットハイウェイ切替装置ＨＷＳＷ４０４は、パケット回線処理装置ＰＬＵ４０６、ＭＬＳ接続インタフェース回路ＭＬＥＩＦ４０８および回線切替装置ＣＳＷ４１６に接続され、例えば２Ｍｂｉｔ／ｓハイウェイインタフェース等のインタフェースにより基地局と接続する機能を有する。パケット回線処理装置ＰＬＵ４０６は、パケットハイウェイ切替装置ＨＷＳＷ４０４および接続部４０２に接続され、基地局とＬＡＰＢプロトコルを用いて通信する終端装置であり、パケット通信用の呼処理信号や基地局に対する監視系の信号を送受信する機能を有する。ＭＬＳ接続インタフェース回路ＭＬＥＩＦ４０８は、パケットハイウェイ切替装置ＨＷＳＷ４０４および回線切替装置ＣＳＷ４１６に接続され、例えば音声交換機ＭＬＳ等の他の交換機と接続する機能を有し、例えば、パケット通信用の報知情報の送受信を行う際には、基地局からパケット通信用のチャネルの情報を受信して、その情報を報知情報として音声交換機ＭＬＳに送信し、音声交換機ＭＬＳを経由して基地局から移動機に報知情報を送信する。
【００４９】
接続部４０２は、回線対応部４０１および制御部４０３に接続され、スイッチングハブの機能を有する。
【００５０】
制御部４０３は、ルータＲＴ４１２、ＰＰＭ中央処理装置ＰＣＰ４１４、回線切替装置ＣＳＷ４１６およびファイルユニットＦＩＬＵ４１８を含んでなる。ルータＲＴ４１２は、ＰＰＭ中央処理装置ＰＣＰ４１４に接続され、他のパケット加入者系処理装置ＰＰＭまたはパケット関門中継処理装置と接続する際のルータ機能を有する。ＰＰＭ中央処理装置ＰＣＰ４１４は、接続部４０２、ルータＲＴ４１２、回線切替装置ＣＳＷ４１６およびファイルユニットＦＩＬＵ４１８に接続され、格納されたプログラムにより全体の制御を司る機能を有する。回線切替装置ＣＳＷ４１６は、パケットハイウェイ切替装置ＨＷＳＷ４０４、ＭＬＳ接続インタフェース回路ＭＬＥＩＦ４０８、ＰＰＭ中央処理装置ＰＣＰ４１４および回線対応部４０１に接続され、それぞれ二重化されたパケットハイウェイ切替装置ＨＷＳＷ４０４、ＭＬＳ接続インタフェース回路ＭＬＥＩＦ４０８およびＰＰＭ中央処理装置ＰＣＰ４１４の片系に障害が発生した場合に系統切替を行う機能や、動作中の主系のＰＰＭ中央処理装置ＰＣＰ４１４に回線対応部４０１からの結線を接続する機能を有する。ファイルユニットＦＩＬＵ４１８は、ＰＰＭ中央処理装置ＰＣＰ４１４に接続され、制御用のプログラムや、交換機の設定ファイル等の局データ等を格納する機能を有する。
【００５１】
図８は、図７に示す衛星用パケット加入者系処理装置Ｓ−ＰＰＭの機能ブロック図であり、衛星用パケット加入者系処理装置Ｓ−ＰＰＭの機能のうち本発明に関係する部分のみを概念的に示している。図８において説明する各機能ブロックは、図４で説明した衛星用パケット加入者系処理装置Ｓ−ＰＰＭのハードウェア構成図中の、ＰＰＭ中央処理装置ＰＣＰ４１４において実行されるプログラム等により実現される。
【００５２】
衛星用パケット加入者系処理装置Ｓ−ＰＰＭ８００は、少なくともサントランジット開始処理部８０２とサントランジット中処理部８０４とサントランジット終了処理部８０６とから構成される。
【００５３】
サントランジット開始処理部８０２は、図４を参照して詳細に説明したような衛星パケットシステムのサントランジット制御方法におけるサントランジット開始処理を実行する機能を有する。
【００５４】
すなわち、サントランジットとなる衛星の配下の基地局に対して、サントランジットであること、および移行する他号機のチャネルの情報である「サントランジット情報」を連続的に送信するよう指示を行う。また、非サントランジットの衛星の配下の基地局に対して、移行を行う移動機のチャネル同期の確立を早めるために、受入れ指示を行う。
【００５５】
サントランジット中処理部８０４は、図５および図６を参照して詳細に説明したような衛星パケットシステムのサントランジット制御方法におけるサントランジット中処理を実行する機能を有する。
【００５６】
すなわち、サントランジット側衛星に在圏する移動機に対する下り信号が発生した場合、基地局に対して追出し指令を送信するように指示を行う。
【００５７】
サントランジット終了処理部８０６は、サントランジットが終了した際に、基地局に対してサントランジット制御を解除し、通常のパケット通信を行うように指示する機能を有する。
【００５８】
（他の実施の形態）
上述した実施の形態においては、基地局と衛星用パケット加入者系処理装置とを独立の筐体として実現する場合を一例に説明したが、本発明はこの場合に限定されるものではなく、他の実施の形態においては、基地局と衛星用パケット加入者系処理装置とを適宜組み合わせて１つの筐体として実施することができることは当業者にとって自明である。
【００５９】
【発明の効果】
以上詳細に説明したように、本発明によれば、加入者系処理装置は、基地局に対して、サントランジットの対象となる第１通信衛星に在圏している移動機にサントランジット情報を送信するように指示するサントランジット情報送信指示手段と、網側から移動機へパケットが送信される場合に、基地局に対して、パケットの送信先の移動機を第１通信衛星からサントランジットの対象とならない第２通信衛星へ移行させる命令を該移動機に送信するように指示する移行命令送信指示手段とを備えたので、全ての移動機を移行することなく効率的にサントランジット制御を実行できる衛星パケット通信システムおよびそのサントランジット制御方法を提供することできる。
【００６０】
また、本発明によれば、サントランジット情報は、第１通信衛星がサントランジットの対象であることを示す情報および移動機が移行する第２通信衛星のチャネルの情報を含むので、サントランジット対象の通信衛星配下の移動機が効率的に他の通信衛星に移行することができる。
【００６１】
さらに、本発明によれば、加入者系処理装置は、第１通信衛星のサントランジットが終了した際に、基地局に対してサントランジット情報の送信を終了するように指示するサントランジット終了指示手段をさらに備えたので、サントランジットが終了した通信衛星への待ち受け等をスムーズに開始することができる。
【００６２】
さらにまた、本発明によれば、加入者系処理装置は、第２通信衛星の配下の基地局に対して、移行を行う移動機のチャネル同期の確立を早めるための受入れ指令を前記移動機に送信するように指示する受入れ指令送信指示手段をさらに備えたので、サントランジット対象の通信衛星配下の移動機が効率的に他の通信衛星に移行することができる。
【図面の簡単な説明】
【図１】従来技術によるサントランジット制御において、通信衛星ｂ号機に対するサントランジット準備処理の一例を概念的に示す図である。
【図２】従来技術によるサントランジット制御において、通信衛星ｂ号機１０４に対するサントランジット開始処理の一例を概念的に示す図である。
【図３】本発明が適用される衛星パケットシステムのサントランジット制御方法の概念を示す図である。
【図４】本発明よる衛星パケットシステムのサントランジット制御方法におけるサントランジット開始処理の概念を説明する図である。
【図５】本発明よる衛星パケットシステムのサントランジット制御方法における移動機から信号を送信する際のサントランジット中処理の概念を説明する図である。
【図６】本発明よる衛星パケットシステムのサントランジット制御方法における網側から移動機へ信号を送信する際のサントランジット中処理の概念を説明する図である。
【図７】本発明が適用される衛星用パケット加入者系処理装置Ｓ−ＰＰＭのハードウェア構成の一例を示す図である。
【図８】図７に示す衛星用パケット加入者系処理装置Ｓ−ＰＰＭの機能ブロック図である。
【符号の説明】
４２  衛星用パケット加入者系処理装置（ａ）Ｓ−ＰＰＭ（ａ）
４４  衛星用パケット加入者系処理装置（ｂ）Ｓ−ＰＰＭ（ｂ）
１０２  通信衛星ａ号機
１０４  通信衛星ｂ号機
２０２  基地局
２０４  基地局
３００  移動機
３０１  移動機
３０２  移動機
３０４  移動機
３０８  移動機
４００  衛星用パケット加入者系処理装置Ｓ−ＰＰＭ
４０１  回線対応部
４０２  接続部
４０３  制御部
４０４  パケットハイウェイ切替装置ＨＷＳＷ
４０６  パケット回線処理装置ＰＬＵ
４０８  ＭＬＳ接続インタフェース回路ＭＬＥＩＦ
４１２  ルータＲＴ
４１４  ＰＰＭ中央処理装置ＰＣＰ
４１６  回線切替装置ＣＳＷ
４１８  ファイルユニットＦＩＬＵ
８００  衛星用パケット加入者系処理装置
８０２  サントランジット開始処理部
８０４  サントランジット中処理部
８０６  サントランジット終了処理部
【図１】
0003576441.tif 000002
【図２】
0003576441.tif 000003
【図３】
0003576441.tif 000004
【図４】
0003576441.tif 000005
【図５】
0003576441.tif 000006
【図６】
0003576441.tif 000007
【図７】
0003576441.tif 000008
【図８】
0003576441.tif 000009